(57)【要約】      （修正有）【課題】敷居の交換の後にドアの再調整を必要としないエレベーターの敷居装置、エレベーターの敷居の交換方法およびエレベーターの敷居の設置方法を提供する。【解決手段】敷居１３は、乗場ドア９の下端に設けられるドアシュー１２をガイドするガイド溝１７を有する。ジャッキユニット１５は、ドアシュー１２が取り付けられている状態において第１位置から第２位置までの範囲で敷居１３を移動可能に下方から支持する。第１位置において、敷居１３の上面は、ドアシュー１２の下端より高い。第２位置において、敷居１３の上面は、ドアシュー１２の下端より低い。敷居１３は、第２位置において交換される。【選択図】図４
2020045231.tif 000002
【特許請求の範囲】
【請求項１】
エレベーターのドアの下端に設けられるドアシューをガイドするガイド溝を有する敷居と、
前記敷居を下方から支持し、前記敷居の上面が前記ドアシューの下端より高い第１位置から前記敷居の上面が前記ドアシューの下端より低い第２位置までの範囲で前記敷居を支持する位置を前記ドアシューが取り付けられている状態において上下させるジャッキユニットと、
を備えるエレベーターの敷居装置。
【請求項２】
エレベーターの乗場出入口の下方の昇降路の内壁に固定され、前記ジャッキユニットを下方から支持する支持具ユニット
を備える請求項１に記載のエレベーターの敷居装置。
【請求項３】
前記ジャッキユニットは、ジャッキボルトによって前記敷居を支持する位置を上下させる請求項１または請求項２に記載のエレベーターの敷居装置。
【請求項４】
前記敷居の左右方向の端部を左右方向から固定する補強具
を備える請求項１から請求項３のいずれか一項に記載のエレベーターの敷居装置。
【請求項５】
前記ジャッキユニットは、前記敷居の重心の下方を支持する第１ジャッキと、前記敷居の下方を支持し前記第１ジャッキと独立に上下する第２ジャッキと、を備える請求項１から請求項４のいずれか一項に記載のエレベーターの敷居装置。
【請求項６】
エレベーターのドアの下端に設けられるドアシューをガイドするガイド溝を有する敷居を、前記敷居を下方から支持するジャッキユニットによって、前記敷居の上面が前記ドアシューの下端より高い第１位置から前記敷居の上面が前記ドアシューの下端より低い第２位置まで、前記ドアシューが取り付けられている状態において下降させるジャッキダウン工程と、
前記ドアシューが取り付けられている状態において前記第２位置にある前記敷居を交換する交換工程と、
交換された敷居を、前記ジャッキユニットによって、前記第２位置から前記第１位置まで、前記ドアシューが取り付けられている状態において上昇させるジャッキアップ工程と、
を備えるエレベーターの敷居の交換方法。
【請求項７】
前記ジャッキダウン工程より前に、前記敷居の左右方向の端部を左右方向から固定している補強具の固定を解除する解除工程と、
前記ジャッキアップ工程より後に、前記補強具に前記敷居の左右方向の端部を固定させる復旧工程と、
を備える請求項６に記載のエレベーターの敷居の交換方法。
【請求項８】
前記ジャッキダウン工程において、前記敷居の重心の下方を支持する前記ジャッキユニットの第１ジャッキを、前記敷居の下方を支持し前記第１ジャッキと独立に上下する前記ジャッキユニットの第２ジャッキより後に下降させ、
前記ジャッキアップ工程において、前記第１ジャッキを、前記第２ジャッキより先に上昇させる請求項６または請求項７に記載のエレベーターの敷居の交換方法。
【請求項９】
エレベーターのドアの下端に設けられるドアシューをガイドするガイド溝を有する敷居の荷重を前記敷居の下方において受ける支持具ユニットを、エレベーターの乗場出入口の下方の昇降路の内壁に固定する固定工程と、
前記支持具ユニットに下方から支持され前記敷居を下方から支持するジャッキユニットによって、取り付けられた状態の前記ドアシューの下端の高さより前記敷居の上面が高くなる第１位置から取り付けられた状態の前記ドアシューの下端の高さより前記敷居の上面が低くなる第２位置までを含む範囲において前記敷居を上下させることで前記敷居の位置を調整する調整工程と、
を備えるエレベーターの敷居の設置方法。
【請求項１０】
前記調整工程より後に、前記敷居の左右方向の端部を左右方向から固定している補強具に前記敷居の左右方向の端部を固定させる補強工程
を備える請求項９に記載のエレベーターの敷居の設置方法。
【請求項１１】
前記調整工程において、前記敷居の重心の下方を支持する前記ジャッキユニットの第１ジャッキを、前記敷居の下方を支持し前記第１ジャッキと独立に上下する前記ジャッキユニットの第２ジャッキより先に上昇させる請求項９または請求項１０に記載のエレベーターの敷居の設置方法。
【発明の詳細な説明】
【技術分野】
【０００１】
本発明は、エレベーターの敷居装置、エレベーターの敷居の交換方法およびエレベーターの敷居の設置方法に関する。
【背景技術】
【０００２】
特許文献１にエレベーターの敷居装置の例が記載されている。敷居装置において、敷居の上下の位置は、ボルトおよびナットが通される鉛直方向に延びる長穴によって調整される。
【先行技術文献】
【特許文献】
【０００３】
【特許文献１】特開２０１３−２４５０３８号公報
【発明の概要】
【発明が解決しようとする課題】
【０００４】
しかしながら、特許文献１に記載の敷居装置において、敷居の交換の際に敷居がドアシューに干渉する。このため、敷居装置は、敷居の交換の際にドアシューの取り外しを必要とする。したがって、敷居装置は、敷居の交換の後にドアシューの取付けおよびドアの再調整を必要とする。
【０００５】
本発明は、このような課題を解決するためになされた。本発明の目的は、敷居の交換の後にドアの再調整を必要としないエレベーターの敷居装置、エレベーターの敷居の交換方法およびエレベーターの敷居の設置方法を提供することである。
【課題を解決するための手段】
【０００６】
本発明に係るエレベーターの敷居装置は、エレベーターのドアの下端に設けられるドアシューをガイドするガイド溝を有する敷居と、敷居を下方から支持し、敷居の上面がドアシューの下端より高い第１位置から敷居の上面がドアシューの下端より低い第２位置までの範囲で敷居を支持する位置をドアシューが取り付けられている状態において上下させるジャッキユニットと、を備える。
【０００７】
本発明に係るエレベーターの敷居の交換方法は、エレベーターのドアの下端に設けられるドアシューをガイドするガイド溝を有する敷居を、敷居を下方から各々が支持するジャッキユニットによって、敷居の上面がドアシューの下端より高い第１位置から敷居の上面がドアシューの下端より低い第２位置まで、ドアシューが取り付けられている状態において下降させるジャッキダウン工程と、ドアシューが取り付けられている状態において第２位置にある敷居を交換する交換工程と、交換された敷居を、ジャッキユニットによって、第２位置から第１位置まで、ドアシューが取り付けられている状態において上昇させるジャッキアップ工程と、を備える。
【０００８】
本発明に係るエレベーターの敷居装置の設置方法は、エレベーターのドアの下端に設けられるドアシューをガイドするガイド溝を有する敷居の荷重を敷居の下方において受ける支持具ユニットを、エレベーターの乗場出入口の下方の昇降路の内壁に固定する固定工程と、支持具ユニットに下方から支持され敷居を下方から支持するジャッキユニットによって、取り付けられた状態のドアシューの下端の高さより敷居の上面が高くなる第１位置から取り付けられた状態のドアシューの下端の高さより敷居の上面が低くなる第２位置までを含む範囲において敷居を上下させることで敷居の位置を調整する調整工程と、を備える。
【発明の効果】
【０００９】
これらの発明によれば、敷居は、エレベーターのドアの下端に設けられるドアシューをガイドするガイド溝を有する。ジャッキユニットは、ドアシューが取り付けられている状態において第１位置から第２位置までの範囲で敷居を移動可能に下方から支持する。第１位置において、敷居の上面は、ドアシューの下端より高い。第２位置において、敷居の上面は、ドアシューの下端より低い。敷居は、第２位置において交換される。これにより、ドアの再調整を必要とせずに敷居が交換される。
【図面の簡単な説明】
【００１０】
【図１】実施の形態１に係る敷居装置が設けられるエレベーターの構成図である。
【図２】実施の形態１に係る敷居装置の正面図である。
【図３】実施の形態１に係る敷居装置の側面図である。
【図４】実施の形態１に係る敷居装置の側面図である。
【発明を実施するための形態】
【００１１】
本発明を実施するための形態について添付の図面を参照しながら説明する。各図において、同一または相当する部分には同一の符号を付して、重複する説明は適宜に簡略化または省略する。
【００１２】
実施の形態１．
図１は、実施の形態１に係る敷居装置が設けられるエレベーターの構成図である。
【００１３】
エレベーター１は、建築物２に設けられる。建築物２は、複数の階を備える。エレベーター１において、昇降路３は複数の階を貫く。エレベーター１は、巻上機４と、釣合オモリ５と、かご６と、を備える。巻上機４は、例えばモーターによって駆動力を発生させる装置である。巻上機４は、例えば昇降路３に設けられる。釣合オモリ５は、巻上機４のモーターが発生させる駆動力によって昇降路３の内部を上下に走行する機器である。かご６は、巻上機４のモーターが発生させる駆動力によって昇降路３の内部を上下に走行することで、複数の階の間で利用者を輸送する装置である。かご６は、かごドア７を備える。かごドア７は、かご６の側面に設けられる。かごドア７は、かご６が複数の階のいずれかに停止しているときに、利用者がかご６に乗降しうるように開閉する装置である。かごドア７は、例えば両開きのドアである。かごドア７は、エレベーター１のドアの例である。
【００１４】
エレベーター１において、乗場８は、建築物２の各階に設けられる。乗場８は、乗場出入口によって昇降路３に通じる。乗場出入口は、乗場８と昇降路３とを繋ぐ開口である。エレベーター１は、乗場ドア９と、ドアハンガー１０と、敷居装置１１と、を備える。乗場ドア９は、各階の乗場出入口に設けられる。乗場ドア９は、利用者がかご６に乗降しうるようにかごドア７に追従して開閉する装置である。乗場ドア９は、例えば両開きのドアである。乗場ドア９は、エレベーター１のドアの例である。ドアハンガー１０は、乗場ドア９の上端を開閉方向に移動可能に支持する部分である。開閉方向は、左右方向である。ドアハンガー１０は、乗場出入口より昇降路３の側に設けられる。ドアハンガー１０は、乗場出入口の上方に設けられる。敷居装置１１は、乗場ドア９の開閉をガイドする装置である。敷居装置１１は、乗場出入口より昇降路３の側に設けられる。敷居装置１１は、乗場出入口の下方に設けられる。
【００１５】
図２は、実施の形態１に係る敷居装置の正面図である。
【００１６】
乗場ドア９は、ドアシュー１２を備える。ドアシュー１２は、乗場ドア９の下端に設けられる。ドアシュー１２は、乗場ドア９が開閉するときに敷居装置１１にガイドされる部材である。
【００１７】
敷居装置１１は、敷居１３と、支持具ユニット１４と、ジャッキユニット１５と、一対の補強具１６と、を備える。
【００１８】
敷居１３は、乗場ドア９の開閉方向に延びる板である。敷居１３は、ガイド溝１７を有する。ガイド溝１７は、乗場ドア９が開閉するときにドアシュー１２をガイドする溝である。ガイド溝１７の幅は、ドアシュー１２の幅より広い。ガイド溝１７は、乗場ドア９の開閉方向に延びる。ガイド溝１７が延びる方向は、敷居１３が延びる方向と平行である。
【００１９】
支持具ユニット１４は、乗場出入口の下方の昇降路３の内壁に固定される。支持具ユニット１４は、複数の支持具１８を備える。複数の支持具１８の各々は、ブラケット１９と、アンカーボルト２０と、を備える。ブラケット１９は、例えばＬ字状の形状のアングル材である。ブラケット１９は、鉛直面２１と水平面２２とを有する。鉛直面２１は、昇降路３の内壁に対向する。水平面２２は、鉛直面２１に直交する面である。ブラケット１９は、鉛直面２１に貫通孔を有する。ブラケット１９は、水平面２２に貫通孔を有する。ブラケット１９は、鉛直面２１と水平面２２とにわたる補強部分を有してもよい。アンカーボルト２０は、ブラケット１９を昇降路３の内壁に固定する部材である。アンカーボルト２０は、ブラケット１９の鉛直面２１の貫通孔に通される。アンカーボルト２０は、昇降路３の内壁に打ち込まれる。
【００２０】
ジャッキユニット１５は、複数のジャッキ２３を備える。複数のジャッキ２３の各々は、敷居１３を下方から支持する装置である。複数のジャッキ２３の各々は、複数の支持具１８の各々に下方から支持される。複数のジャッキ２３の各々は、受座２４と、ジャッキボルト２５と、ナット２６と、を備える。受座２４は、平板状の部材である。受座２４の上面は、敷居１３の下面に対向する。受座２４は、敷居１３の荷重を受ける部分である。受座２４は、ジャッキ２３の上端に設けられる。ジャッキボルト２５は、鉛直方向に向けられる。ジャッキボルト２５は、ブラケット１９の水平面２２の貫通孔に通される。ジャッキボルト２５の上端は、受座２４の下面に設けられる。ナット２６は、受座２４の鉛直方向の位置を調整する部材である。ナット２６は、ジャッキボルト２５を通す。ナット２６は、ブラケット１９の水平面２２の上方に設けられる。複数のジャッキ２３の各々の受座２４の鉛直方向の位置は、各々が独立に上下させられる。
【００２１】
ジャッキユニット１５は、例えば奇数個のジャッキ２３を備える。このとき、支持具ユニット１４は、ジャッキユニット１５が備えるジャッキ２３と同数の支持具１８を備える。奇数個のジャッキ２３のうちの１つは、敷居１３の重心Ｇの下方を支持する。当該ジャッキ２３は、第１ジャッキの例である。敷居１３の重心Ｇは、例えば左右方向の中心である。奇数個のジャッキ２３のうちの残りは、例えば敷居１３の中心に関して左右対称な位置に設けられる。当該残りのジャッキ２３のいずれかは、第２ジャッキの例である。
【００２２】
一対の補強具１６の各々は、敷居１３を補強する部材である。一対の補強具１６の各々は、敷居１３の左右方向の端部の各々に設けられる。一対の補強具１６の各々は、固定金具２７と、固定ボルト２８と、可動板２９と、を備える。固定金具２７は、例えばＬ字状の形状のアングル材である。固定金具２７は、取付け面３０と調整面３１とを有する。取付け面３０は、昇降路３の内壁に対向する。調整面３１は、取付け面３０に直交する面である。調整面３１の法線は、左右方向を向く。固定金具２７は、取付け面３０に貫通孔を有する。固定金具２７は、調整面３１に長穴を有する。長穴は、鉛直方向に延びる。固定ボルト２８は、固定金具２７を昇降路３の内壁に固定する部材である。固定ボルト２８は、固定金具２７の取付け面３０の貫通孔に通される。固定ボルト２８は、昇降路３の内壁に打ち込まれる。可動板２９は、板状の部材である。可動板２９は、２つの貫通孔を有する。２つの貫通孔は、上下に並ぶ。可動板２９の下方の貫通孔は、固定金具２７の調整面３１の長穴に合わせられる。可動板２９は、例えばボルトおよびナットによって固定金具２７に固定される。可動板２９の位置は、固定金具２７の長穴によって調整される。可動板２９の上方の貫通孔は、敷居１３の左右方向の端部の高さに合わせられる。可動板２９は、例えばボルトによって敷居１３の左右方向の端部を固定する。
【００２３】
続いて、図３および図４を用いて、敷居１３の交換方法を説明する。
図３および図４は、実施の形態１に係る敷居装置の側面図である。図３および図４において、一対の補強具１６は図示されない。
【００２４】
作業員は、例えば昇降路３のかご６の上から敷居１３の交換作業を行う。敷居１３の交換作業において、ドアシュー１２は、乗場ドア９に取り付けられた状態にある。
【００２５】
図３において、敷居１３が第１位置にある状態が示される。第１位置は、取り付けられた状態のドアシュー１２の下端の高さより敷居１３の上面が高くなる位置である。すなわち、第１位置において、敷居１３の上面は、ドアシュー１２の下端より高い。ここで、乗場ドア９において複数のドアシュー１２が設けられる場合に、第１位置は、例えば取り付けられた状態の複数のドアシュー１２の各々の下端の高さのいずれよりも敷居１３の上面が高くなる位置である。
【００２６】
まず、作業員は、解除工程の作業を行う。解除工程において、作業員は、例えば一対の補強具１６の各々の可動板２９を敷居１３の左右方向の各々の端部に固定しているボルトを取り外すことによって、一対の補強具１６の固定を解除する。
【００２７】
次に、作業員は、ジャッキダウン工程の作業を行う。ジャッキダウン工程において、作業員は、複数のジャッキ２３によって、敷居１３を第１位置から第２位置まで下降させる。
【００２８】
図４において、敷居１３が第２位置にある状態が示される。第２位置は、取り付けられた状態のドアシュー１２の下端の高さより敷居１３の上面が低くなる位置である。すなわち、第２位置において、敷居１３の上面は、ドアシュー１２の下端より低い。ここで、乗場ドア９において複数のドアシュー１２が設けられる場合に、第２位置は、例えば取り付けられた状態の複数のドアシュー１２の各々の下端の高さのいずれよりも敷居１３の上面が低くなる位置である。
【００２９】
ジャッキダウン工程において、作業員は、複数のジャッキ２３の各々について、ナット２６を回転させることで上方に移動させる。複数のジャッキ２３の各々は、ナット２６がブラケット１９の水平面２２に当たるまで下降する。複数のジャッキ２３の各々について、ナット２６は独立に移動させられる。すなわち、複数のジャッキ２３の各々の受座２４の鉛直方向の位置は、独立に調整される。作業員は、複数のジャッキ２３のいずれかが敷居１３の重心Ｇの下方を支持する場合に、当該ジャッキ２３を他のジャッキ２３より後に下降させる。作業員は、敷居１３が傾かないように、複数のジャッキ２３の受座２４の鉛直方向の各々の位置を少しずつ下降させてもよい。
【００３０】
次に、作業員は、交換工程の作業を行う。交換工程において、作業員は、例えば次のように敷居１３を交換する。作業員は、第２位置にある敷居１３を昇降路３の中央側に引いて複数のジャッキ２３の受座２４の上から取り除く。作業員は、新しい敷居１３を複数のジャッキ２３の受座２４の上に乗せる。
【００３１】
次に、作業員は、ジャッキアップ工程の作業を行う。ジャッキアップ工程において、作業員は、複数のジャッキ２３によって、敷居１３を第２位置から第１位置まで上昇させる。ジャッキアップ工程において、作業員は、複数のジャッキ２３の各々について、ナット２６を回転させることで下方に移動させる。複数のジャッキ２３の各々は、ナット２６がブラケット１９の水平面２２に当たることで上昇する。作業員は、複数のジャッキ２３のいずれかが敷居１３の重心Ｇの下方を支持する場合に、当該ジャッキ２３を他のジャッキ２３より先に上昇させる。作業員は、敷居１３が傾かないように、複数のジャッキ２３の受座２４の鉛直方向の各々の位置を少しずつ上昇させてもよい。ジャッキアップ工程において、作業員は、ドアシュー１２がガイド溝１７に入り込むように、敷居１３の水平方向の位置を調整しながら作業を行う。
【００３２】
次に、作業員は、復旧工程の作業を行う。復旧工程において、作業員は、例えば一対の補強具１６の各々の可動板２９を敷居１３の左右方向の各々の端部に固定しているボルトを取り付けることによって、一対の補強具１６を固定する。
【００３３】
続いて、敷居１３の設置方法を説明する。
【００３４】
作業員は、例えば昇降路３のかご６の上から敷居１３の設置作業を行う。設置作業において、ドアシュー１２は、例えば乗場ドア９に取り付けられた状態にある。
【００３５】
まず、作業員は、固定工程の作業を行う。固定工程において、作業員は、支持具ユニット１４を乗場出入口の下方の昇降路３の内壁に固定する。支持具ユニット１４は、複数の支持具１８の各々について例えばアンカーボルト２０が打ち込まれることによって固定される。
【００３６】
次に、作業員は、調整工程の作業を行う。調整工程において、作業員は、複数のジャッキ２３によって、第１位置から第２位置までを含む範囲において敷居１３を上下させることで敷居１３の鉛直方向の位置を調整する。敷居１３は、受座２４に乗せられている。敷居１３の位置は、例えば、第１位置より下方から調整される。敷居１３の位置は、例えば、昇降路３の内壁に印された基準墨を基準に調整される。敷居１３の位置は、例えば、昇降路３の上部から下ろされた下げ振りを基準に調整される。調整工程において、作業員は、複数のジャッキ２３の各々のジャッキボルト２５によって敷居１３の位置を連続的に調整する。作業員は、複数のジャッキ２３のいずれかが敷居１３の重心Ｇの下方を支持する場合に、当該ジャッキ２３を他のジャッキ２３より先に上昇させる。作業員は、敷居１３が傾かないように、複数のジャッキ２３の受座２４の鉛直方向の各々の位置を少しずつ上昇させてもよい。
【００３７】
次に、作業員は、補強工程の作業を行う。補強工程において、作業員は、例えば一対の補強具１６の各々の可動板２９を敷居１３の左右方向の各々の端部に固定しているボルトを取り付けることによって、一対の補強具１６を固定する。
【００３８】
以上に説明したように、実施の形態１に係る敷居装置１１は、敷居１３と、ジャッキユニット１５と、を備える。敷居１３は、ガイド溝１７を有する。ガイド溝１７は、ドアシュー１２をガイドする。ドアシュー１２は、乗場ドア９の下端に設けられる。ジャッキユニット１５は、敷居１３を下方から支持する。ジャッキユニット１５は、第１位置から第２位置までの範囲で、ドアシュー１２が取り付けられている状態において、敷居１３を支持する位置を上下させる。第１位置において、敷居１３の上面は、ドアシュー１２の下端より高い。第２位置において、敷居１３の上面は、ドアシュー１２の下端より低い。
【００３９】
また、実施の形態１に係る敷居１３の交換方法は、ジャッキダウン工程と、交換工程と、ジャッキアップ工程と、を備える。ジャッキダウン工程において、敷居１３は、ドアシュー１２が取り付けられている状態において、ジャッキユニット１５によって第１位置から第２位置まで下降させられる。交換工程において、第２位置にある敷居１３は、ドアシュー１２が取り付けられている状態において、交換される。ジャッキアップ工程において、交換された敷居１３は、ドアシュー１２が取り付けられている状態において、ジャッキユニット１５によって第２位置から第１位置まで上昇させられる。
【００４０】
また、実施の形態１に係る敷居１３の設置方法は、固定工程と、調整工程と、を備える。固定工程において、支持具ユニット１４は、エレベーター１の乗場出入口の下方の昇降路３の内壁に固定される。支持具ユニット１４は、敷居１３の荷重を敷居１３の下方において受ける。調整工程において、敷居１３の位置は、ジャッキユニット１５によって第１位置から第２位置までを含む範囲において敷居１３を上下させることで調整される。第１位置は、取り付けられた状態のドアシュー１２の下端の高さより敷居１３の上面が高くなる位置である。第２位置は、取り付けられた状態のドアシュー１２の下端の高さより敷居１３の上面が低くなる位置である。
【００４１】
ジャッキユニット１５は、ドアシュー１２が取り付けられている状態において第１位置から第２位置までの範囲で敷居１３を移動可能に下方から支持する。第１位置において、敷居１３の上面は、ドアシュー１２の下端より高い。第２位置において、敷居１３の上面は、ドアシュー１２の下端より低い。敷居１３は、第２位置において交換される。このため、作業員は、ドアシュー１２を取り外すことなく敷居１３を交換できる。これにより、乗場ドア９の再調整を必要とせずに敷居１３が交換される。したがって、敷居１３の交換による作業員の作業負担が軽減する。
【００４２】
作業員は、ジャッキユニット１５によって、敷居１３の位置を連続的に調整できる。ジャッキユニット１５は、敷居１３を支持しながら、敷居１３を支持する位置を上下させる。このため、作業員は、敷居１３の位置の調整において、スペーサーなどの部品を必要としない。このため、例えば昇降路３にスペーサーなどの部品を落とすことが防止される。
【００４３】
また、敷居装置１１は、支持具ユニット１４を備える。支持具ユニット１４は、エレベーター１の乗場出入口の下方の昇降路３の内壁に固定される。支持具ユニット１４は、ジャッキユニット１５を下方から支持する。
【００４４】
乗場ドア９は、建築物２の各階に設けられる。すなわち、エレベーター１において、乗場ドア９は、建築物２の階の数だけ設けられる。このため、建築物２の階数の分だけ、敷居１３の交換による作業員の作業負担が軽減する。
【００４５】
支持具ユニット１４は、ジャッキユニット１５を下方から支持する。支持具ユニット１４は、ジャッキユニット１５を通じて、敷居１３の荷重を敷居１３の下方において受ける。このため、鉛直面２１間の摩擦によってジャッキユニット１５が支持される場合より、敷居１３の位置がずれにくい。このため、敷居１３の位置の調整がしやすくなる。
【００４６】
また、ジャッキユニット１５は、ジャッキボルト２５によって敷居１３を支持する位置を上下させる。
【００４７】
ジャッキユニット１５は、簡単な構造により実現される。これにより、敷居装置１１自体の保守点検が複雑にならない。
【００４８】
また、敷居装置１１は、補強具１６を備える。補強具１６は、敷居１３の左右方向の端部を左右方向から固定する。
【００４９】
また、敷居１３の交換方法は、解除工程と、復旧工程と、を備える。解除工程において、ジャッキダウン工程より前に、補強具１６の固定は、解除される。復旧工程において、ジャッキアップ工程より後に、敷居１３の左右方向の端部は、補強具１６に固定される。
【００５０】
また、敷居１３の設置方法は、補強工程を備える。補強工程において、調整工程より後に、敷居１３の左右方向の端部は、補強具１６に固定される。
【００５１】
これにより、エレベーター１が利用されるときにも、敷居１３の位置がずれにくくなる。また、補強具１６の固定が解除されているとき、敷居１３は、上下方向の移動の際に補強具１６に干渉されない。これにより、敷居１３の交換、設置および調整などにおける敷居１３の上下方向の移動が容易になる。
【００５２】
また、ジャッキユニット１５は、第１ジャッキと、第２ジャッキと、を備える。第１ジャッキは、敷居１３の重心Ｇの下方を支持する。第２ジャッキは、敷居１３の下方を支持し第１ジャッキと独立に上下する。
【００５３】
また、ジャッキダウン工程において、第１ジャッキは、第２ジャッキより後に下降させられる。ジャッキアップ工程において、第１ジャッキは、第２ジャッキより先に上昇させられる。
【００５４】
また、調整工程において、第１ジャッキは、第２ジャッキより先に上昇させられる。
【００５５】
第１ジャッキの受座２４は、第２ジャッキの受座２４より高い位置にある。このため、敷居１３は、１つのジャッキ２３である第１ジャッキによって重心Ｇが支持された状態において上下する。これにより、上下するときに敷居１３が傾きにくい。敷居１３の交換、設置および調整などにおける敷居１３の上下方向の移動が容易になる。
【００５６】
なお、敷居装置１１は、エレベーター１のかごドア７をガイドする装置でもよい。支持具ユニット１４は、例えばエレベーター１のかご６の下梁に固定されてもよい。
【００５７】
また、ジャッキユニット１５は、例えば偶数個のジャッキ２３を備えてもよい。このとき、支持具ユニット１４は、ジャッキユニット１５が備えるジャッキ２３と同数の支持具１８を備える。ジャッキユニット１５は、ジャッキ２３を１つのみ備えてもよい。このとき、支持具ユニット１４は、支持具１８を１つのみ備える。
【００５８】
また、ジャッキユニット１５は、例えばパンタグラフジャッキなどを備えてもよい。ジャッキユニット１５は、例えばピンにより長さが固定される伸縮パイプサポートを備えてもよい。
【００５９】
また、敷居１３は、複数のジャッキ２３の受座２４に、例えばボルトおよびナットによって固定されてもよい。敷居１３の下面および受座２４は、ボルトおよびナットを通す例えば貫通孔、長穴、切欠きまたはスロットを有してもよい。この場合、例えば交換工程において、作業員は、複数のジャッキ２３の受座２４に敷居１３を固定するボルトおよびナットの取り外しおよび取付けを行う。
【００６０】
かごドア７および乗場ドア９は、例えば片開きのドアであってもよい。敷居１３は、ガイド溝１７を複数有してもよい。
【００６１】
また、敷居１３の設置作業において、ドアシュー１２または乗場ドア９は、取り付けられていなくてもよい。固定工程において、支持具ユニット１４は、ジャッキユニット１５および敷居１３が取り付けられた状態で固定されてもよい。
【００６２】
また、敷居１３の交換作業または敷居１３の設置作業は、乗場８またはかご６の中から行ってもよい。
【符号の説明】
【００６３】
１  エレベーター、  ２  建築物、  ３  昇降路、  ４  巻上機、  ５  釣合オモリ、  ６  かご、  ７  かごドア、  ８  乗場、  ９  乗場ドア、  １０  ドアハンガー、  １１  敷居装置、  １２  ドアシュー、  １３  敷居、  １４  支持具ユニット、１５  ジャッキユニット、  １６  補強具、  １７  ガイド溝、  １８  支持具、  １９  ブラケット、  ２０  アンカーボルト、  ２１  鉛直面、  ２２  水平面、  ２３  ジャッキ、  ２４  受座、  ２５  ジャッキボルト、  ２６  ナット、  ２７  固定金具、  ２８  固定ボルト、  ２９  可動板、  ３０  取付け面、  ３１  調整面
【図１】
2020045231.tif 000003
【図２】
2020045231.tif 000004
【図３】
2020045231.tif 000005
【図４】
2020045231.tif 000006